(57)【要約】【課題】構音障害児の訓練に用いる書籍を効率よく探す。【解決手段】検索条件設定部１２０は、書籍検索画面に設置された、各言語音を表す仮名表記に一対一に対応する仮名表記ボタンの選択状態に応じて、言語音に対する検索条件を設定する。検索部１３０は、検索条件に従って所望の言語音が出現する書籍を検索する。書籍検索画面は、仮名表記ボタンを母音と子音とで分類した五十音ボタン群と、仮名表記ボタンを調音器官と調音方式とで分類した調音ボタン群と、の少なくとも何れかを含む。【選択図】図１１
2019215652.tif 000002
【特許請求の範囲】
【請求項１】
設定された検索条件に従って所望の言語音が出現する書籍を検索するための検索条件を設定する書籍検索インタフェース装置であって、
書籍検索画面に設置された、各言語音を表す仮名表記に一対一に対応する仮名表記ボタンの選択状態に従って、言語音に対する検索条件を設定する検索条件設定部
を含み、
上記書籍検索画面は、
上記仮名表記ボタンを母音と子音とで分類した五十音ボタン群と、
上記仮名表記ボタンを調音器官と調音方式とで分類した調音ボタン群と、
の少なくとも何れかを含む、
書籍検索インタフェース装置。
【請求項２】
請求項１に記載の書籍検索インタフェース装置であって、
上記書籍検索画面は、上記調音ボタン群を少なくとも含む、
書籍検索インタフェース装置。
【請求項３】
請求項２に記載の書籍検索インタフェース装置であって、
上記調音ボタン群は、
各調音器官に関係する言語音に対応する上記仮名表記ボタンの選択状態を一括で制御する調音器官ボタンと、
各調音方式に関係する言語音に対応する上記仮名表記ボタンの選択状態を一括で制御する調音方式ボタンと、
を含む、
書籍検索インタフェース装置。
【請求項４】
請求項１に記載の書籍検索インタフェース装置であって、
上記五十音ボタン群および上記調音ボタン群のうち一方に含まれる上記仮名表記ボタンの選択状態が変化した場合、上記選択状態が変化した仮名表記ボタンの選択状態の表示と同じになるように、他方に含まれる上記選択状態が変化した仮名表記ボタンと同じ言語音に対応する仮名表記ボタンの選択状態の表示が変化するように制御する、
書籍検索インタフェース装置。
【請求項５】
請求項１に記載の書籍検索インタフェース装置であって、
上記書籍検索画面は、
上記所望の言語音が書籍内で表記される文字種を指定する文字種設定部と、
上記所望の言語音が書籍内で出現する単語内での出現場所を指定する単語内出現場所設定部と、
上記所望の言語音が書籍内で出現する文中での出現場所を指定する文中出現場所設定部と、
上記所望の言語音が書籍内で出現する単語の品詞を指定する品詞設定部と、
上記所望の言語音が書籍内で出現する回数を指定する出現回数設定部と、
上記所望の言語音が書籍内で出現する単語のモーラ数を指定するモーラ数設定部と、
上記所望の言語音が書籍内で出現する単語の親密度を指定する親密度設定部と、
上記所望の言語音が書籍内で出現する単語の獲得齢を指定する獲得齢設定部と、
上記所望の言語音が書籍内で出現する単語の種類数を指定する文字バリエーション数設定部と、
の少なくとも何れかをさらに含む、
書籍検索インタフェース装置。
【請求項６】
検索条件設定部が、書籍検索画面に設置された、各言語音を表す仮名表記に一対一に対応する仮名表記ボタンの選択状態に従って、言語音に対する検索条件を設定する検索条件設定ステップと、
検索部が、上記検索条件に従って所望の言語音が出現する書籍を検索する検索ステップと、
を含む書籍検索方法であって、
上記書籍検索画面は、
上記仮名表記ボタンを母音と子音とで分類した五十音ボタン群と、
上記仮名表記ボタンを調音器官と調音方式とで分類した調音ボタン群と、
の少なくとも何れかを含む、
書籍検索方法。
【請求項７】
請求項６に記載の書籍検索方法であって、
上記書籍検索画面は、上記調音ボタン群を少なくとも含む、
書籍検索方法。
【請求項８】
請求項６に記載の書籍検索方法であって、
上記五十音ボタン群および上記調音ボタン群のうち一方に含まれる上記仮名表記ボタンの選択状態が変化した場合、上記選択状態が変化した仮名表記ボタンの選択状態の表示と同じになるように、他方に含まれる上記選択状態が変化した仮名表記ボタンと同じ言語音に対応する仮名表記ボタンの選択状態の表示が変化するように制御する、
書籍検索方法。
【請求項９】
請求項６に記載の書籍検索方法であって、
上記書籍検索画面は、
上記所望の言語音が書籍内で表記される文字種を指定する文字種設定部と、
上記所望の言語音が書籍内で出現する単語内での出現場所を指定する単語内出現場所設定部と、
上記所望の言語音が書籍内で出現する文中での出現場所を指定する文中出現場所設定部と、
上記所望の言語音が書籍内で出現する単語の品詞を指定する品詞設定部と、
上記所望の言語音が書籍内で出現する回数を指定する出現回数設定部と、
上記所望の言語音が書籍内で出現する単語のモーラ数を指定するモーラ数設定部と、
上記所望の言語音が書籍内で出現する単語の親密度を指定する親密度設定部と、
上記所望の言語音が書籍内で出現する単語の獲得齢を指定する獲得齢設定部と、
上記所望の言語音が書籍内で出現する単語の種類数を指定する文字バリエーション数設定部と、
の少なくとも何れかをさらに含む、
書籍検索方法。
【請求項１０】
請求項１から５の何れかに記載の書籍検索インタフェース装置としてコンピュータを機能させるためのプログラム。
【発明の詳細な説明】
【技術分野】
【０００１】
本発明は、例えば構音障害の幼児や児童の発音の訓練に用いる絵本や児童書などの書籍を検索する技術に関する。
【背景技術】
【０００２】
絵本や児童書などの書籍を検索する技術としては特許文献１がある。特許文献１には、クエリとなる書籍と表紙が類似している書籍を検索する技術が開示されている。特許文献１の技術によれば、対象となる幼児が好む絵の絵本を検索することができる。これにより、対象となる幼児は、興味のある絵の絵本を積極的に読むようになり、その結果として、単語や文章を読めるようになる。すなわち、発音できるようになり、意味を理解することができるようになる。
【先行技術文献】
【特許文献】
【０００３】
【特許文献１】特開２０１７−１２９９０１号公報
【発明の概要】
【発明が解決しようとする課題】
【０００４】
構音障害を持つ幼児や児童（以下、「構音障害児」とよぶ）もいる。構音障害とは、言語に用いられる音（言語音）を正しく発音できない症状である。なお、「構音」とは医学的用語であり、言語学や音声学で用いられる「調音」と同義であるので、以降の記載においては「調音」との文言も用いる。「構音」及び「調音」とは、さまざまな言語音を発音するために声道を調整することである。
【０００５】
構音障害児の発音の訓練を行う際に、絵本を用いることがある。具体的には、対象となる構音障害児がうまく発音できない要素・発音が苦手な要素が多く出現する絵本を言語聴覚士などが選択し、選択した絵本を対象となる構音障害児の発音の訓練に用いる。言語聴覚士が選択した絵本を、対象となる構音障害児が発音しながら読むことで、苦手な要素の発音の訓練をする。例えば、「し」の発音が苦手な構音障害児であれば、「し」が多く含まれる「ごんぎつね」（新美南吉 作）を使って訓練する。
【０００６】
しかし、発音が苦手な要素が多く含まれている絵本を探すためには、絵本の知識と構音障害に関する知識の双方が必要である。特許文献１の技術を用いれば対象となる構音障害児が好む絵の絵本を探すことはできるものの、対象となる構音障害児の訓練に用いる絵本を探すことはできないという課題がある。
【０００７】
本発明は構音障害児の訓練に用いる絵本や児童書などの書籍を効率よく探すための技術を提供することを目的とする。
【課題を解決するための手段】
【０００８】
上記の課題を解決するために、この発明の一態様の書籍検索インタフェース装置は、設定された検索条件に従って所望の言語音が出現する書籍を検索するための検索条件を設定する書籍検索インタフェース装置であって、書籍検索画面に設置された、各言語音を表す仮名表記に一対一に対応する仮名表記ボタンの選択状態に従って、言語音に対する検索条件を設定する検索条件設定部を含み、書籍検索画面は、仮名表記ボタンを母音と子音とで分類した五十音ボタン群と、仮名表記ボタンを調音器官と調音方式とで分類した調音ボタン群と、の少なくとも何れかを含む。
【発明の効果】
【０００９】
本発明によれば、構音障害児の発音の訓練に用いる絵本や児童書などの書籍を効率よく探すことができる。
【図面の簡単な説明】
【００１０】
【図１】図１は、実施形態の書籍検索装置の機能構成を例示する図である。
【図２】図２は、実施形態の書籍検索方法の処理手続きを例示する図である。
【図３】図３は、書籍検索画面の表示例を示す図である。
【図４】図４は、書籍検索画面の五十音ボタン群の表示例を示す図である。
【図５】図５は、書籍検索画面の調音ボタン群の表示例を示す図である。
【図６】図６は、単音指定、複数指定、一括指定を説明するための図である。
【図７】図７は、ボタン群間の連動を説明するための図である。
【図８】図８は、重みの多段階設定を説明するための図である。
【図９】図９は、オプション領域の表示例１を示す図である。
【図１０】図１０は、オプション領域の表示例２を示す図である。
【図１１】図１１は、変形例の書籍検索インタフェース装置および検索装置の機能構成を例示する図である。
【発明を実施するための形態】
【００１１】
以下、図面を参照して本発明の実施形態を説明する。以下では言語が日本語である場合について説明する。
【００１２】
［第１実施形態］
第１実施形態の書籍検索装置は、図１に例示する書籍検索装置１のように、例えば、処理部１００、入力部２００、および表示部３００を有する。処理部１００は、例えば、制御部１１０と検索条件設定部１２０と検索部１３０を備える。第１実施形態の書籍検索装置１は、表示部３００に表示された検索条件を設定するための画面領域を利用者が見ながら入力部２００を用いて検索条件を設定できるようにし、利用者によって設定された検索条件に従って絵本や児童書などの書籍を検索して検索結果を得て、表示部３００に検索結果を表示することで、利用者が検索結果を把握できるようにするものである。
【００１３】
処理部１００は、例えば、ＣＰＵ（central processing unit）等のプロセッサ（ハードウェア・プロセッサ）およびＲＡＭ（random-access memory），ＲＯＭ（read-only memory），ハードディスク等の記憶装置等を備える汎用または専用のコンピュータが所定のプログラムを実行することで構成される。このコンピュータは１個のプロセッサやメモリを備えていてもよいし、複数個のプロセッサやメモリを備えていてもよい。このプログラムはコンピュータにインストールされてもよいし、予めＲＯＭ等に記録されていてもよい。また、ＣＰＵのようにプログラムが読み込まれることで機能構成を実現する電子回路（circuitry）ではなく、プログラムを用いることなく処理機能を実現する電子回路を用いて一部またはすべての処理部が構成されてもよい。１個の装置を構成する電子回路が複数のＣＰＵを含んでいてもよい。入力部２００は利用者による情報入力を受け付けるユーザインタフェースであり、表示部３００は利用者に対する情報表示を行うユーザインタフェースである。入力部２００の例は、マウス、タッチセンサ、タッチパッド、キーボードなどである。表示部３００の例は液晶ディスプレイ、投影装置などである。書籍検索装置１の例は、マウスと液晶ディスプレイなどを備えたデスクトップ型パーソナルコンピュータ（ＰＣ）、タッチパッドと液晶ディスプレイなどを備えたノート型ＰＣ、タッチスクリーン（タッチセンサと液晶ディスプレイとを１つのハードウェアで実装したもの）を備えたタブレット型ＰＣ、スマートフォン、などであるが、専用端末装置等であってもよい。
【００１４】
以下、本実施形態の書籍検索装置１の動作について説明する。
【００１５】
書籍検索装置１は、利用者による起動操作を契機に動作を開始する。起動操作とは、例えば、書籍検索装置１が専用端末装置である場合には電源ボタンが押下される操作などであり、書籍検索装置１がＰＣである場合にはプログラムアイコンが押下される操作やURLが指定される操作などである。書籍検索装置１は、起動操作を契機にまず下記のステップＳ１の動作を行い、以降、ステップＳ５までの動作をする（図２参照）。
【００１６】
＜＜書籍検索画面の表示（ステップＳ１）＞＞
書籍検索装置１は、動作を開始すると、まず制御部１１０が図３に例示する書籍検索画面を表示部３００に表示させる制御を行い、その制御に従って表示部３００は書籍検索画面を表示する。以下、書籍検索画面について説明する。
【００１７】
＜書籍検索画面＞
書籍検索画面は、図３に示すように、検索条件設定領域３０１と検索結果表示領域３０４を少なくとも含む。検索条件設定領域３０１は、検索条件を設定するための画面領域であり、例えば、図３において実線で囲んだ領域である。検索結果表示領域３０４は、検索結果を提示するための画面領域であり、例えば図３において破線で囲んだ領域である。
【００１８】
また、書籍検索画面は、図３において点線で囲んだように、設定した検索条件での検索の実行を指示するためのボタン３０５（以下、「検索ボタン」という）を備え、さらに、過去に設定した検索条件での検索の実行を指示するためのボタン３０６（以下、「過去条件検索ボタン」という）を備えていてもよい。ただし、例えば、マウスの右クリックやキーボードのリターンキーの押下などに検索ボタンの機能を割り当てるなどにより、書籍検索装置１の表示部３００以外に検索ボタンを備えるようにし、書籍検索画面には検索ボタンを備えないようにしてもよい。
【００１９】
＜検索条件設定領域＞
検索条件設定領域３０１は、図３に示すように、五十音ボタン群３０２と調音ボタン群３０３の少なくとも何れかを備える。また、検索条件設定領域３０１は、１個以上のプリセットボタンを備えていてもよい。また、検索条件設定領域は、オプション領域、または、オプション領域を表示するためのボタンを備えていてもよい。
【００２０】
＜五十音ボタン群＞
五十音ボタン群３０２は、各言語音を表す仮名表記に一対一に対応するボタン（以下、「仮名表記ボタン」という）を母音と子音とで分類したボタン群であり、例えば、図３において一点鎖線で囲んだ領域にあるボタン群である。以降の説明のため、図３の五十音ボタン群３０２を図４に再掲する。
【００２１】
五十音は母音と子音の組み合わせに一対一に対応することから、五十音ボタン群３０２には、例えば図４において実線で囲んだように、複数の子音を横に並べて複数の母音を縦に並べた表に各言語音を表す仮名表記に一対一に対応する仮名表記ボタン３０２１を配置する。
【００２２】
構音障害児は、ある行やある段の全ての言語音の発音を苦手としている場合がある。そこで、各母音に対応する言語音全てを一括して選択できるように、五十音ボタン群３０２には、例えば図４において一点鎖線で囲んだように、各母音に一対一に対応するボタン３０２２（以下、「段ボタン」という）を備えてもよい。同様に、各子音に含まれる言語音全てを一括して選択できるように、五十音ボタン群３０２には、例えば図４において二点鎖線で囲んだように、各子音に一対一に対応するボタン３０２３（以下、「行ボタン」という）を備えてもよい。
【００２３】
なお、五十音ボタン群３０２には、全ての仮名表記ボタンを１つの表の中に配置してもよいが、表示部３００の画面の大きさと画面の見易さなどを考慮して、２個以上の表の中に分けて配置して、例えば図４において破線で囲んだような、表を選択するためのボタン３０２４（以下、「タブボタン」という）を備えるようにしてもよい。例えば、清音・撥音の仮名表記ボタンを含む表と、濁音・半濁音の仮名表記ボタンを含む表と、拗音の仮名表記ボタンを含む表と、を用意しておき、何れの表を表示するかを「清音・撥音」タブボタンと「濁音・半濁音」タブボタンと「拗音」タブボタンの押下操作によって選択できるようにしてもよい。各表の中には段ボタンや行ボタンも配置してもよい。
【００２４】
なお、仮名表記ボタンに付す文字表記は、平仮名表記であっても片仮名表記であってもローマ字表記であってもこれらのうちの複数の表記の組み合わせであってもよい。ただし、絵本や児童書などの書籍を検索する目的からすると、仮名表記ボタンに付す文字表記は、少なくとも平仮名表記を含むことが望ましい。このことは、後述する調音ボタン群３０３についても同じである。
【００２５】
＜調音ボタン群＞
調音ボタン群３０３は、各言語音を表す仮名表記に一対一に対応する仮名表記ボタンを調音器官と調音方式で分類したボタン群であり、例えば、図３において二点鎖線で囲んだ領域にあるボタン群である。以降の説明のため、図３の調音ボタン群３０３を図５に再掲する。
【００２６】
調音器官とは、調音に用いられる声道の各部分のことであり、唇、歯茎舌先、軟口蓋奥舌、歯茎舌端、後部歯茎前舌、硬口蓋前舌、声門などのことである。調音方式とは、調音器官を用いて言語音を発声する方法のことであり、摩擦音、接近音、破擦音、破裂音、鼻音、弾音などの周知の名称が付されている。
【００２７】
構音障害は、各言語音を聞き分けられていないことにより生じる場合もあるが、発音が苦手なことによって生じることもある。各言語音を正しく発音できるかは、その言語音に対応する調音器官を正しく使えるか、及び、その言語音に対応する調音方式を正しく使えるか、に基づく。構音障害児の場合には、唇や舌先などの特定の調音器官を上手く使えない、摩擦音や破擦音などの特定の調音方式を上手く使えない、などが原因で、発音が苦手な場合がある。 そこで本発明では、構音障害児が苦手な調音器官や調音方式に基づく言語音の選択を容易にするために、各言語音を表す仮名表記に一対一に対応する仮名表記ボタンを調音器官と調音方式で分類した調音ボタン群３０３を用意している。
【００２８】
より具体的には、調音ボタン群３０３には、例えば図５において実線で囲んだように、複数の調音器官を横に並べて複数の調音方式を縦に並べた表に、各言語音を表す仮名表記に一対一に対応する仮名表記ボタン３０３１を配置する。また、各調音器官に含まれる言語音全てを一括して選択できるように、調音ボタン群３０３には、例えば図５において一点鎖線で囲んだように、各調音器官に一対一に対応するボタン３０３２（以下、「調音器官ボタン」という）を備えてもよい。同様に、調音ボタン群３０３には、例えば図５において二点鎖線で囲んだように、各調音方式に含まれる言語音全てを一括して選択できるように、各調音方式に一対一に対応するボタン３０３３（以下、「調音方式ボタン」という）を備えてもよい。
【００２９】
なお、調音ボタン群３０３は、調音器官の全てと調音方式の全ての組み合わせに対応する全ての仮名表記ボタンを１つの表の中に配置してもよいが、表示部３００の画面の大きさと画面の見易さなどを考慮して、２個以上の表の中に分けて配置して、例えば図５において破線で囲んだような、表を選択するためのボタン３０３４（以下、「タブボタン」という）を備えるようにしてもよい。例えば、一部の調音器官（唇、歯茎舌先、軟口蓋奥舌）に対応する仮名表記ボタンを含む表と、残りの調音器官（歯茎舌端、後部歯茎前舌、硬口蓋前舌、声門）に対応する仮名表記ボタンを含む表と、を用意しておき、何れの表を表示するかを「唇・歯茎舌先・軟口蓋奥舌」タブボタンと「歯茎舌端・後部歯茎前舌・硬口蓋前舌・声門」タブボタンの押下操作によって選択できるようにしてもよい。各表の中には、調音器官ボタンや調音方式ボタンも配置してもよい。
【００３０】
なお、これらの調音器官と調音方式による分類は主に子音のためのものである。そこで、本発明の調音ボタン群では、「母音」は厳密にいえば調音方式ではないものの、調音方式側に「母音」との分類を設けて、母音のみの言語音の仮名表記ボタンについては、調音器官が「声門」であり、調音方式が「母音」であるとして分類するようにしている。
【００３１】
＜＜検索条件を設定する操作の受け付けと検索条件の表示（ステップＳ２）＞＞
書籍検索装置１は、次に、制御部１１０が、表示部３００に表示した書籍検索画面の検索条件設定領域内の各ボタンに対する利用者による入力部２００への押下操作を受け付けるように制御し、入力部２００が受け付けた押下操作に対応する検索条件を設定するように検索条件設定部１２０に指示するとともに、その受け付けた押下操作と、その受け付けた押下操作に対応して検索条件設定部１２０が設定した検索条件と、に対応するように変更した書籍検索画面を表示部３００に表示させる制御を行う。そして、検索条件設定部１２０は、制御部１１０からの指示に従って検索条件を設定し、表示部３００は、制御部１１０からの指示に従って、変更後の書籍検索画面を表示する。以下、検索条件の設定とそれに伴う書籍検索画面の表示について説明する。
【００３２】
なお、以降では、表示部３００に表示した書籍検索画面中のボタンに対する入力部２００への押下操作を受け付けるように制御部１１０が制御したことを、便宜的に「ボタンが押下された場合」と呼ぶ。また、検索条件を設定するように制御部１１０が検索条件設定部１２０に指示し、検索条件設定部１２０は、制御部１１０からの指示に従って検索条件を設定することを、便宜的に「検索条件を設定する」と呼ぶ。また、入力部２００が受け付けた押下操作と、その受け付けた押下操作に対応して検索条件設定部１２０が設定した検索条件と、に対応するように変更した書籍検索画面を表示部３００に表示させるように制御部１１０が制御し、制御部１１０からの指示に従って変更した書籍検索画面を表示部３００が表示することを、便宜的に「表示する」と呼ぶ。
【００３３】
＜単音指定、複数指定、一括指定＞
ある仮名表記ボタンが押下された場合には、その仮名表記の言語音を検索対象の音（以下、「検索対象音」という）として含む検索条件を設定するとともに、その仮名表記の言語音を検索対象音として含む検索条件を設定したことを視認可能なように仮名表記ボタン上に表示する。また、既に検索条件に検索対象音として含まれる言語音の仮名表記ボタンが押下された場合には、その仮名表記の言語音を検索対象音として含まないように検索条件を設定するとともに、その仮名表記の言語音を検索対象音として含まない検索条件を設定したことを仮名表記ボタン上に視認可能なように表示する。例えば、ある仮名表記の言語音が検索条件に検索対象音として含まれることを視認可能なようにするためには、その言語音の仮名表記ボタンの文字表記の背景を白色とし、ある仮名表記の言語音が検索条件に検索対象音として含まないことを視認可能なようにするためには、その言語音の仮名表記ボタンの文字表記の背景を白色以外の色とすればよい。
【００３４】
五十音ボタン群の各表において段ボタンが押下された場合には、各表におけるその段の母音に対応する全ての言語音を検索対象音として含む検索条件を設定するとともに、それらの言語音を検索対象音として含む検索条件を設定したことを視認可能なように仮名表記ボタン上に表示する。また、この場合には、段ボタンの押下によってその段の言語音が検索条件に検索対象音として含まれるようにされたことを段ボタン上に視認可能なように表示する。例えば、段ボタンの文字表記の背景を白色以外の色にする。また、段ボタンの押下によってその段の言語音が検索条件に検索対象音として含まれるように既にされている状態でその段ボタンが押下された場合には、その段の母音に対応する全ての言語音を検索対象音として含まない検索条件を設定するとともに、それらの言語音を検索対象音として含まない検索条件を設定したことを視認可能なように仮名表記ボタン上に表示する。また、この場合には、段ボタンの押下によってその段の言語音が検索条件に検索対象音として含まれないようにされたことを段ボタン上に視認可能なように表示する。
【００３５】
書籍検索装置１の各部は、五十音ボタン群の各表において行ボタンが押下された場合、調音ボタン群の各表において調音器官ボタンが押下された場合、調音ボタン群の各表において調音方式ボタンが押下された場合、についても、五十音ボタン群の各表において段ボタンが押下された場合と同様の動作をする。
【００３６】
図６は、五十音ボタン群において、仮名表記ボタン「た」と、仮名表記ボタン「の」と、段ボタン「う段」と、行ボタン「か行」とが押下された後に、仮名表記ボタン「ふ」が押下された場合の、書籍検索画面中の五十音ボタン群の表示の例である。この場合には、「た」と、「の」と、か行の全ての音である「か」「き」「く」「け」「こ」と、う段の「ふ」を除く全ての音である「う」「す」「つ」「ぬ」「む」「ゆ」「る」を含む検索条件が設定され、これらの言語音の仮名表記ボタンと段ボタン「う段」と行ボタン「か行」の文字表記の背景が白色以外の色とされている。
【００３７】
＜ボタン群間での連動機能＞
書籍検索画面の検索条件設定領域に五十音ボタン群と調音ボタン群の両方を備える場合には、ある仮名表記ボタンが一方のボタン群で押下された場合には、その仮名表記ボタン上だけではなく、もう一方のボタン群にあるその仮名表記の仮名表記ボタン上でも、その仮名表記の言語音を検索対象音として含む検索条件を設定したことを視認可能なように表示するとよい。すなわち、ある仮名表記ボタンが押下された場合には、五十音ボタン群と調音ボタン群の両方において、その仮名表記の言語音を検索対象音として含む検索条件を設定したことを仮名表記ボタン上に表示するとよい。
【００３８】
書籍検索画面の検索条件設定領域に五十音ボタン群と調音ボタン群の両方を備える場合には、また、五十音ボタン群の各表において行ボタンが押下された場合、五十音ボタン群の各表において段ボタンが押下された場合、調音ボタン群の各表において調音器官ボタンが押下された場合、調音ボタン群の各表において調音方式ボタンが押下された場合、については、押下されたボタンに対応する全ての言語音について、もう一方のボタン群にあるそれぞれの仮名表記の仮名表記ボタン上でも、その仮名表記の言語音を検索対象音として含む検索条件を設定したことを視認可能なように表示するとよい。
【００３９】
図７は、五十音ボタン群中の段ボタン「い段」が押下された場合の書籍検索画面中の五十音ボタン群と調音ボタン群の表示の例である。この場合には、押下された段ボタン「い段」の全ての音である「い」「き」「し」「ち」「に」「ひ」「み」「り」を含む検索条件が設定され、五十音ボタン群中のこれらの言語音の仮名表記ボタンと、五十音ボタン群中の段ボタン「い段」と、調音ボタン群のうちの現在表示されている表である「唇・歯茎舌先・軟口蓋奥舌」の表に含まれる「き」「に」「み」「り」と、の文字表記の背景が白色以外の色とされている。図示しないが、調音ボタン群のうちの「歯茎舌端・後部歯茎前舌・硬口蓋前舌・声門」の表が表示されている場合であれば、調音ボタン群については「い」「し」「ち」「ひ」の文字表記の背景が白色以外の色とされる。
【００４０】
各言語音がどの調音器官を用いてどの調音方式を用いて発音されるものであるかは、一部の専門家しか記憶していないと想定され、ほとんどの人は教科書等でわざわざ確認する必要があると想定される。一方で、五十音ボタン群で採用した表は、広く知られている五十音表そのものに対応するため、誰でも直感的に扱うことができる。そこで、本発明では、本機能を実装することにより、構音障害児が苦手な言語音について、母音と子音の組み合わせにおける位置と調音器官と調音方式の組み合わせにおける位置とを容易に相互参照することを可能としている。
【００４１】
＜重みの多段階設定＞
これまでの説明では、それぞれの仮名表記の言語音について、その言語音を検索対象音として含む検索条件を設定するか、その言語音を検索対象音として含まない検索条件を設定するか、の二通りである例を説明した。これに対し、それぞれの仮名表記の言語音について、その言語音を検索対象音として含む検索条件を設定する場合に、その言語音の検索時の重み値を大とするか小とするかも含む検索条件を設定できるようにしてもよく、例えば、以下のようにすればよい。
【００４２】
ある仮名表記ボタンが押下された場合には、その仮名表記の言語音を重み値が小である検索対象音として含む検索条件を設定するとともに、その仮名表記の言語音を重み値が小である検索対象音として含む検索条件を設定したことを視認可能なように仮名表記ボタン上に表示する。例えば、その言語音の仮名表記ボタンの文字表記の背景を淡色にする。
【００４３】
また、重み値が小である検索対象音として既に検索条件に含まれる言語音の仮名表記ボタンが押下された場合には、その仮名表記の言語音を重み値が大である検索対象音として含む検索条件を設定するとともに、その仮名表記の言語音を重み値が大である検索対象音として含む検索条件を設定したことを視認可能なように仮名表記ボタン上に表示する。例えば、その言語音の仮名表記ボタンの文字表記の背景を濃色にする。
【００４４】
また、重み値が大である検索対象音として既に検索条件に含まれる言語音の仮名表記ボタンが押下された場合には、その仮名表記の言語音を検索対象音として含まないように検索条件を設定するとともに、その仮名表記の言語音を検索対象音として含まない検索条件を設定したことを仮名表記ボタン上に視認可能なように表示する。例えば、その言語音の仮名表記ボタンの文字表記の背景を白色にする。
【００４５】
なお、五十音ボタン群の各表において行ボタンが押下された場合、五十音ボタン群の各表において段ボタンが押下された場合、調音ボタン群の各表において調音器官ボタンが押下された場合、調音ボタン群の各表において調音方式ボタンが押下された場合、についても、同様の動作をすればよい。
【００４６】
実際に、「い段」の発音が苦手で、「い」「き」「し」「ち」「り」の発音が特に苦手な構音障害児がいる。この構音障害児用の発音の訓練に用いる絵本や児童書などの書籍を検索するのであれば、「い段」の言語音を多く含み、かつ、「い」「き」「し」「ち」「り」を特に多く含む、絵本や児童書などの書籍を検索するとよい。このような場合には、まず、行ボタン「い段」を押下して、更に、「い」「き」「し」「ち」「り」のボタンを押下することにより、「い段」の言語音を全て検索対象音として含み、かつ、「い」「き」「し」「ち」「り」については大きな重みで検索対象音として含む検索条件を設定すればよい。この場合は、「い段」の言語音のうちの「い」「き」「し」「ち」「り」以外（すなわち、「に」「ひ」「み」）については、重み値が小である検索対象音として含む検索条件が設定される。図８は、この場合の書籍検索画面の中の五十音ボタン群と調音ボタン群の表示の例であり、「い段」のうちの「い」「き」「し」「ち」「り」については、重み値が大である検索対象音として含む検索条件が設定されたことが視認可能なように文字表記の背景が濃色とされており、「い段」のうちのその他の言語音である「に」「ひ」「み」については、重み値が小である検索対象音として含む検索条件が設定されたことが視認可能なように文字表記の背景が淡色とされている。
【００４７】
なお、各言語音の検索時の重み値を大、中、小の３段階や４段階以上に設定できるようにしてもよい。例えば、検索時の重み値を大、中、小の３段階とする場合であれば、ボタンが押下されるたびに、重み値が小である検索対象音として含む検索条件を設定する、重み値が中である検索対象音として含む検索条件を設定する、重み値が大である検索対象音として含む検索条件を設定する、検索対象音として含まない検索条件を設定する、重み値が小である検索対象音として含む検索条件を設定する、・・・・と動作するようにすればよい。また、この場合は、上述した淡色と濃色の間の中間的な濃さの色である中間色も用いて、ボタンが押下されるたびに、ボタンの文字表記の背景を、重み値が小の段階である検索対象音として含む検索条件が設定されたことを表す淡色、重み値が中の段階である検索対象音として含む検索条件が設定されたことを表す中間色、重み値が大の段階である検索対象音として含む検索条件が設定されたことを表す濃色、検索対象音として含まない検索条件が設定されたことを表す白色、・・・、とすればよい。
【００４８】
＜プリセット＞
プリセットボタンは、予め定めた検索条件に一対一に対応するボタンである。プリセットボタンは、例えば、図３において実線で囲んだ検索条件設定領域３０１内の、五十音ボタン群３０２がある領域（一点鎖線で囲んだ領域）とも調音ボタン群３０３がある領域（二点鎖線で囲んだ領域）とも異なる領域に配置しておけばよい。
【００４９】
予め定めた検索条件とは、予め定めた複数個の言語音を検索対象の音として含む検索条件であり、それぞれの言語音についての検索時の重み値も含む検索条件であってもよい。予め定めた検索条件は、１個であってもよいし複数個であってもよく、例えば、図６から図８の例のそれぞれについて上述した検索条件とすればよい。書籍検索装置１は、複数個の言語音を検索対象の音として含む検索条件それぞれをプリセットボタンと対応付けて図示しない記憶部に記憶しておき、プリセットボタンが押下された場合には、押下されたプリセットボタンに対応する検索条件を設定するとともに、設定した検索条件に対応する書籍検索画面を表示する。
【００５０】
例えば、書籍検索画面には、図６の検索条件に対応するプリセットボタン１と、図８の検索条件に対応するプリセットボタン２と、の２個プリセットボタンを備えておいてもよい。この場合には、プリセットボタン１が押下された場合には図６について上述した検索条件が設定されるとともに、設定された検索条件に対応する表示として図６のように文字表記の背景の色が設定され、プリセットボタン２が押下された場合には図８について上述した検索条件が設定されるとともに、設定された検索条件に対応する表示として図８のように文字表記の背景の色が設定されるようにすればよい。
【００５１】
＜＜検索ボタンの押下操作の受け付け（ステップＳ３）＞＞
書籍検索装置１は、ステップＳ２と並行して、制御部１１０が、検索ボタンに対する利用者による入力部２００への押下操作を受け付けられるように制御し、入力部２００が検索ボタンに対する押下操作を受け付けたのを契機に、その時点で検索条件設定部１２０が設定済みの検索条件を検索部１３０に入力するとともに、入力された検索条件での検索の実行を検索部１３０に指示する。
【００５２】
また、書籍検索装置１が過去条件検索ボタンも備える場合には、制御部１１０が、入力部２００が検索ボタンに対する押下操作を受け付けたのを契機に、検索条件設定部１２０内の図示しない記憶部に記憶されているｎ個前（ｎは１以上の整数）の検索条件をｎ＋１個前の検索条件とするとともに、その時点で検索条件設定部１２０が設定済みの検索条件を１個前の検索条件として記憶部に記憶する。
【００５３】
＜＜過去条件検索ボタンの押下操作の受け付け（ステップＳ３ａ）＞＞
書籍検索装置１が過去条件検索ボタンも備える場合には、上述したステップＳ２及びステップＳ３と並行して、制御部１１０が、過去条件検索ボタンに対する利用者による入力部２００への押下操作を受け付けられるように制御し、入力部２００が過去条件検索ボタンに対する押下操作を受け付けたのを契機に、検索条件設定部１２０内の図示しない記憶部に記憶されている過去の検索条件を検索部１３０に入力するとともに、入力された検索条件での検索の実行を検索部１３０に指示する。
【００５４】
例えば、書籍検索装置１が過去条件検索ボタンとして１個のボタンのみを備える場合には、過去条件検索ボタンへの押下操作が受け付けられるたびに、１回前の検索条件を検索部１３０に入力する、２回前の検索条件を検索部１３０に入力する、・・・というようにし、入力された検索条件での検索の実行を検索部１３０に指示すればよい。すなわち、過去条件検索ボタンに対する押下操作の回数に対応する過去の検索条件での検索の実行を検索部１３０に指示すればよい。
【００５５】
また、例えば、書籍検索装置１が過去条件検索ボタンとして、１個前からＮ個前（Ｎは２以上の整数）のそれぞれの検索条件で検索するためのボタン（Ｎ個の過去条件検索ボタン）を備える場合には、押下操作が受け付けられた過去条件検索ボタンに対応する回数だけ過去の検索条件を検索部１３０に入力するとともに、入力された検索条件での検索の実行を検索部１３０に指示すればよい。すなわち、押下された過去条件検索ボタンに対応する過去の検索条件での検索の実行を検索部１３０に指示すればよい。
【００５６】
また、例えば、書籍検索装置１が過去条件検索ボタンとして、「undoボタン」「redoボタン」の２つを備える場合には、undoボタンへの押下操作が受け付けられたら、押下操作が受け付けられる直前の検索条件の１個前の検索条件を検索部１３０に入力し、redoボタンへの押下操作が受け付けられたら、押下操作が受け付けられる直前の検索条件の１個後の検索条件を検索部１３０に入力するようにし、入力された検索条件での検索の実行を検索部１３０に指示すればよい。すなわち、押下された過去条件検索ボタンに対応する過去の検索条件での検索の実行を検索部１３０に指示すればよい。
【００５７】
＜＜検索の実行（ステップＳ４）＞＞
検索部１３０は、制御部１１０からの検索の実行を指示された際には、入力された検索条件での書籍の検索を実行し、検索結果を制御部１１０に送る。
【００５８】
検索部１３０は、公知の検索技術を用いて、入力された検索条件に対応する書籍の情報を検索結果として得ればよい。例えば、検索部１３０には、特開２０１４−２３５７２３号公報又は特開２０１６−１４８９２７号公報に記載された情報提示装置を用いればよい。検索結果として得る書籍の情報は、例えば、絵本や児童書などの書籍の書誌情報、表紙、検索条件への適合度合いを表す数値、などとすればよい。
【００５９】
なお、入力された検索条件が過去の検索条件と同じ場合には、入力された検索条件での書籍の検索を実行することに代えて、検索部１３０内の図示しない記憶部に記憶された過去の検索結果を読み出して制御部１１０に送ってもよい。
【００６０】
＜＜検索結果の表示（ステップＳ５）＞＞
制御部１１０は、検索部１３０から検索結果が入力されたのを契機に、書籍検索画面の検索結果表示領域に検索部１３０から入力された書籍の情報を含むように変更した書籍検索画面を表示部３００に表示させる制御を行う。そして、表示部３００は、制御部１１０からの指示に従って、変更後の書籍検索画面を表示する。すなわち、表示部３００には、設定された検索条件に対応する書籍の情報として、絵本や児童書などの書籍の書誌情報、表紙、検索条件への適合度合いを表す数値、などが表示される。
【００６１】
［第２実施形態］
第１実施形態の検索条件は、ある言語音を検索対象音として含むか否か、及び、検索対象音として含む言語音の重み値であったが、これらに加えて、検索対象音として含む言語音が絵本や児童書などの書籍中にどのように出現するか、も検索条件に含めてもよい。この形態を第２実施形態として説明する。
【００６２】
第２実施形態の書籍検索装置も、第１実施形態の書籍検索装置と同様に、図１に例示する書籍検索装置１のように、例えば、処理部１００、入力部２００、および表示部３００を有する。処理部１００は、例えば、制御部１１０、検索条件設定部１２０、および検索部１３０を備える。第２実施形態の書籍検索装置１も、第１実施形態の書籍検索装置１と同様に、利用者が、表示部３００に表示された検索条件を設定するための画面領域を見ながら、入力部２００を用いて検索条件を設定できるようにし、利用者によって設定された検索条件に従って書籍を検索して検索結果を得て、表示部３００の検索結果を提示するための画面領域に検索結果を表示することで、利用者が検索結果を把握できるようにするものである。第２実施形態の書籍検索装置１が第１実施形態の書籍検索装置１と異なる点は、第１実施形態で説明したボタン（五十音ボタン群に含まれるボタン、調音ボタン群に含まれるボタン、プリセットボタン）による検索対象音の設定に加えて、検索対象音として設定した言語音が、書籍中にどのように出現するか、も検索条件に含められるようにしたことであるので、以下では第１実施形態と異なる点についてのみ説明する。
【００６３】
＜検索条件設定領域＞
書籍検索画面の検索条件設定領域は、五十音ボタン群と調音ボタン群の少なくとも何れかに加えて、オプション領域、または、オプション領域を表示するためのボタン（以下、「オプション領域表示ボタン」という）を備える。オプション領域またはオプション領域表示ボタンは、図３において実線で囲んだ検索条件設定領域３０１内の、五十音ボタン群３０２がある領域（一点鎖線で囲んだ領域）とも調音ボタン群３０３がある領域（二点鎖線で囲んだ領域）とも異なる領域に配置する。オプション領域表示ボタンは、例えば、図３において実線で囲んだ検索条件設定領域３０１内の左下部分にある「オプション」と表記されたボタン３０７である。検索条件設定領域内にオプション領域表示ボタンを配置した場合には、オプション領域表示ボタンが押下された場合にオプション領域を表示する。
【００６４】
＜オプション指定＞
オプション領域には、第１実施形態で説明したボタン（五十音ボタン群に含まれるボタン、調音ボタン群に含まれるボタン、プリセットボタン）により検索対象音として設定した言語音が、書籍中にどのように出現するか、を指定するためのボタン（以下、「オプションボタン」という）とスライドバー（以下、「オプションバー」という）の少なくとも何れかを含む。図９は、オプション領域の例である。図９に示すように、オプション領域は、例えば、文字種ボタン群に分類される複数個の文字種ボタン３０７１、単語内での出現場所のボタン群に分類される複数個の各単語内出現場所ボタン３０７２、文中での出現場所のボタン群に分類される複数個の各文中出現場所ボタン３０７３、品詞ボタン群に分類される複数個の品詞ボタン３０７４、出現回数のオプションバー３０７５、モーラ数のオプションバー３０７６、親密度のオプションバー３０７７、獲得齢（age of acquisition）のオプションバー３０７８、文字バリエーション数のオプションバー３０７９、の少なくとも何れかを備える。
【００６５】
［文字種ボタン群］
文字種ボタン群（以下、「文字種設定部」ともいう）は、検索対象音として設定した言語音が書籍中に何れの文字種で表記されて出現するか、を指定するためのボタンを含むボタン群であり、例えば、図９に示すように、平仮名（ひらがな）、片仮名（カタカナ）、漢字、漢字ルビ付き、のそれぞれに一対一に対応するボタン（文字種ボタン）を含む。
【００６６】
例えば、初期状態では全ての文字種が選択された状態にしておき、ある文字種ボタンが押下された場合には、その文字種の表記の言語音を検索対象音として含まないように検索条件を設定するとともに、その文字種の表記の言語音を検索対象音として含まない検索条件を設定したことを文字種ボタン上に視認可能なように表示すればよい。逆に、初期状態では全ての文字種が選択されていない状態としておき、ある文字種ボタンが押下された場合には、その文字種の表記の言語音を検索対象音として含むように検索条件を設定するとともに、その文字種の表記の言語音を検索対象音として含む検索条件を設定したことを文字種ボタン上に視認可能なように表示してもよい。
【００６７】
絵本や児童書などの書籍を音読することにより発音の訓練を行う構音障害児は比較的高年齢であり、書籍の文章に含まれる各種文字を黙読して内容を理解することは可能なことが多い。しかし、書籍の文章を音読することによる発音の訓練は、発音するということに大きな注意を要するため、黙読ならば読める文字を音読できないこともある。そこで、このボタン群を備えるようにすることで、例えば、比較的難しい「漢字」文字種を除いた表記がなされた絵本や児童書などの書籍を探すなどの、訓練当初に簡単な難度を設定したり、訓練が進んだ段階で高い難度を設定したりするなどの適度な難度設定をした上で絵本や児童書などの書籍を探すことが可能となる。
【００６８】
［単語内での出現場所のボタン群］
単語内での出現場所のボタン群（以下、「単語内出現場所設定部」ともいう）は、検索対象音として設定した言語音が書籍中の単語内で何れの場所に出現するか、を指定するためのボタンを含むボタン群であり、例えば、図９に示すように、語頭、語中、語尾、のそれぞれに一対一に対応するボタン（単語内出現場所ボタン）を含む。初期状態、検索条件の設定、設定された検索条件を視認可能とする表示、については、文字種ボタン群と同様である。
【００６９】
構音障害児は、発音が苦手な音であっても、単語内の前半に出てくるほど注意して発音するため、うまく発音できる場合がある。逆にいうと、構音障害児は、語尾に出てくる音の発音はなかなか改善しないことになる。そこで、このボタン群を備えるようにすることで、苦手な言語音が単語内のどこに存在するかを指定可能とし、より訓練効果が高い絵本や児童書などの書籍を探すことが可能となる。
【００７０】
［文中での出現場所のボタン群］
文中での出現場所のボタン群（以下、「文中出現場所設定部」ともいう）は、検索対象音として設定した言語音が書籍中の文中で何れの場所に出現するか、を指定するためのボタンを含むボタン群であり、例えば、図９に示すように、文頭、文中、文末、のそれぞれに一対一に対応するボタン（文中出現場所ボタン）を含む。初期状態、検索条件の設定、設定された検索条件を視認可能とする表示、については、文字種ボタン群と同様である。
【００７１】
文中での出現場所についても単語内での出現場所と同様であり、構音障害児は、発音が苦手な音であっても、文中の前半に出てくるほど注意して発音するため、うまく発音できる場合がある。逆にいうと、構音障害児は、文末に出てくる音の発音はなかなか改善しないことになる。そこで、このボタン群を備えるようにすることで、苦手な言語音が文中のどこに存在するかを指定可能とし、より訓練効果が高い絵本や児童書などの書籍を探すことが可能となる。
【００７２】
［品詞ボタン群］
品詞ボタン群（以下、「品詞設定部」ともいう）は、検索対象音として設定した言語音が書籍中に何れの品詞で出現するか、を指定するためのボタンを含むボタン群であり、例えば、図９に示すように、名詞、動詞、形容詞、形容動詞、連体詞、副詞、接続詞、感動詞、助動詞、助詞、のそれぞれに一対一に対応するボタン（品詞ボタン）を含む。初期状態、検索条件の設定、設定された検索条件を視認可能とする表示、については、文字種ボタン群と同様である。
【００７３】
自立語であるか否か、主語や述語などの文中の重要な構成要素であるか否か、などによって、構音障害児が注意して発音するか否か、すなわち、構音障害児がうまく発音できるか否か、が異なる可能性がある。そこで、このボタン群を備えるようにすることで、より訓練効果が高い絵本や児童書などの書籍を探すことが可能となることが期待される。
【００７４】
［出現回数のオプションバー］
出現回数のオプションバー（以下、「出現回数設定部」ともいう）は、検索対象音として設定した言語音の書籍中での出現回数を指定するためのものであり、例えば、図９や図１０に示すように、最小値と最大値を指定できるようにしたスライダーバーである。
【００７５】
例えば、初期状態では全ての出現回数が選択された状態にしておき、例えば図１０に示すように、最小値と最大値が設定された場合には、検索対象音として設定した言語音の書籍中での出現回数が設定した最小値と設定した最大値の範囲内となる検索条件を設定するとともに、設定した出現回数が視認可能なように表示すればよい。より具体的には、例えば、図９に示すように初期状態では全ての出現回数（１から∞まで）が選択された状態にしておき、図１０に示すように、最小値５と最大値３８が設定された場合には、検索対象音として設定した言語音の書籍中での出現回数を５回以上３８回以下とする検索条件を設定するとともに、５回から３８回を設定したことが視認可能なように表示すればよい。
【００７６】
検索対象音として設定した言語音が訓練に用いる書籍中で出現する回数が少ないと、発音する回数が少なくなるので訓練の効果が高くない可能性がある。しかし一方で、検索対象音として設定した言語音の訓練に用いる書籍中での出現回数が多過ぎると、同じ単語が頻出することなどにより、訓練対象の構音障害児の飽きに繋がり、訓練の効果を高められない可能性も有り得る。そこで、このオプションバーを備えるようにすることで、より訓練効果が高い絵本や児童書などの書籍を探すことが可能となることが期待される。
【００７７】
［モーラ数のオプションバー］
モーラ数のオプションバー（以下、「モーラ数設定部」ともいう）は、検索対象音として設定した言語音が含まれる書籍中の単語のモーラ数を指定するためのものであり、例えば、図９や図１０に示すように、最小値と最大値を指定できるようにしたスライダーバーである。
【００７８】
一般に、モーラ数が多い単語ほど、発音の難易度が高い。したがって、モーラ数を小さな値の範囲内に設定すれば訓練の難易度を低く設定することができ、モーラ数を大きな値の範囲内に設定すれば訓練の難易度を高く設定することができる。そこで、このオプションバーを備えるようにすることで、訓練の難易度を容易に設定することを可能としている。初期状態、検索条件の設定、設定された検索条件を視認可能とする表示、については、出現回数のオプションバーと同様である。
【００７９】
［親密度のオプションバー］
親密度のオプションバー（以下、「親密度設定部」ともいう）は、検索対象音として設定した言語音が含まれる書籍中の単語の親密度を指定するものであり、例えば、図９や図１０に示すように、最小値と最大値を指定できるようにしたスライダーバーである。
【００８０】
親密度が高い単語は、日常よく用いられる単語である。すなわち、構音障害児にとっては、発音が苦手な音であっても、親密度が高い単語に現れるほど発音は容易であると考えられる。したがって、親密度を小さな値の範囲内に設定すれば訓練の難易度を低く設定することができ、親密度を大きな値の範囲内に設定すれば訓練の難易度を高く設定することができる。そこで、このオプションバーを備えるようにすることで、訓練の難易度を容易に設定することを可能としている。初期状態、検索条件の設定、設定された検索条件を視認可能とする表示、については、出現回数のオプションバーと同様である。
【００８１】
［獲得齢（age of acquisition）のオプションバー］
獲得齢（age of acquisition）のオプションバー（以下、「獲得齢設定部」ともいう）は、検索対象音として設定した言語音が含まれる書籍中の単語の獲得齢（age of acquisition）を指定するものであり、例えば、図９や図１０に示すように、獲得月齢の最小値と最大値を指定できるようにしたスライダーバーである。獲得月齢に代えて、例えば、獲得年齢を用いてもよい。
【００８２】
獲得齢が小さな値である単語は、平均的に早く覚えられた単語である。すなわち、構音障害児にとっては、発音が苦手な音であっても、獲得齢が小さな値である単語ほど、発音は容易であると考えられる。したがって、獲得齢を小さな値の範囲内に設定すれば訓練の難易度を低く設定することができ、獲得齢を大きな値の範囲内に設定すれば訓練の難易度を高く設定することができる。そこで、このオプションバーを備えるようにすることで、訓練の難易度を容易に設定することを可能としている。初期状態、検索条件の設定、設定された検索条件を視認可能とする表示、については、出現回数のオプションバーと同様である。
【００８３】
［文字バリエーション数のオプションバー］
文字バリエーション数のオプションバー（以下、「文字バリエーション数設定部」ともいう）は、検索対象音として設定した言語音が含まれる書籍中での単語の種類数を指定するものであり、例えば、図９や図１０に示すように、最小値と最大値を指定できるようにしたスライダーバーである。
【００８４】
検索対象音として設定した言語音が含まれる単語の、訓練に用いる書籍中での種類数が少ないと、その少数の単語についてのみしか検索対象音として設定した言語音の発音をできるようにならない可能性がある。一方、検索対象音として設定した言語音が含まれる単語の、訓練に用いる書籍中での種類数が多いと、訓練の難易度が高くなりすぎ、構音障害児が耐えられない過負荷となってしまう可能性がある。そこで、このオプションバーを備えるようにすることで、訓練の効果と難易度のバランスを考慮した設定を可能としている。初期状態、検索条件の設定、設定された検索条件を視認可能とする表示、については、出現回数のオプションバーと同様である。
【００８５】
［オプショングラフ描画部］
なお、オプション領域には、上述したオプションバーの少なくとも何れかに代えて、二次元平面上での線を指定できるグラフ描画部（以下、「オプショングラフ描画部」という）を備えていてもよい。
【００８６】
例えば、出現回数のオプショングラフ描画部であれば、横軸を出現回数とし、縦軸を各出現回数に対する重み値とした二次元グラフを配置しておき、利用者がマウスやタッチパネルなどの入力部２００を用いて二次元グラフ上に線を描画できるようにすればよい。そして、制御部１１０が、二次元グラフ上に入力部２００により入力された線を検知し、その線に対応する出現回数と重み値との組を検索条件に含めるようにすればよい。
【００８７】
［検索ボタンの配置］
本実施形態の書籍検索装置では、オプション領域でオプションボタンとオプションバーとオプショングラフ描画部の少なくとも何れによる指定後に書籍を検索することになる。そこで、図９や図１０に図示したように、検索ボタン３０５をオプション領域内に備えるようにしてもよい。なお、検索ボタンをオプション領域内に備えるようにした場合には、オプション領域外には検索ボタンを備えないようにしてもよい。過去条件検索ボタンについても同様である。
【００８８】
［その他の変形例等］
なお、本発明は上述の実施形態に限定されるものではない。例えば、上述の実施形態は言語が日本語である場合について説明したが、文字を用いた表記と発音内容が対応する言語であれば他の言語でも適用可能である。また例えば、処理部１００の機能やデータが複数の装置に分散配置され、これらの装置がインターネット等を通じて互いに情報の受け渡しを行って上述の各処理が実行されてもよい。より具体的には、図１１に示すように、検索部１３０は検索装置３内に配置し、検索部１３０を含まない処理部１００と入力部２００と表示部３００とを含む構成の本発明の書籍検索インタフェース装置２を、検索装置３とネットワーク４を介して接続するようにしてもよい。
【００８９】
上述の構成をコンピュータによって実現する場合、装置が有すべき機能の処理内容はプログラムによって記述される。このプログラムをコンピュータで実行することにより、上記処理機能がコンピュータ上で実現される。この処理内容を記述したプログラムは、コンピュータで読み取り可能な記録媒体に記録しておくことができる。コンピュータで読み取り可能な記録媒体の例は、非一時的な（non-transitory）記録媒体である。このような記録媒体の例は、磁気記録装置、光ディスク、光磁気記録媒体、半導体メモリ等である。
【００９０】
このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００９１】
このようなプログラムを実行するコンピュータは、例えば、まず、可搬型記録媒体に記録されたプログラムもしくはサーバコンピュータから転送されたプログラムを、一旦、自己の記憶装置に格納する。処理の実行時、このコンピュータは、自己の記憶装置に格納されたプログラムを読み取り、読み取ったプログラムに従った処理を実行する。このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。
【００９２】
コンピュータ上で所定のプログラムを実行させて本装置の処理機能が実現されるのではなく、これらの処理機能の少なくとも一部がハードウェアで実現されてもよい。
【符号の説明】
【００９３】
１  書籍検索装置
２  書籍検索インタフェース装置
３  検索装置
４  ネットワーク
１００  処理部
１１０  制御部
１２０  検索条件設定部
１３０  検索部
２００  入力部
３００  表示部
【図１】
2019215652.tif 000003
【図２】
2019215652.tif 000004
【図３】
2019215652.tif 000005
【図４】
2019215652.tif 000006
【図５】
2019215652.tif 000007
【図６】
2019215652.tif 000008
【図７】
2019215652.tif 000009
【図８】
2019215652.tif 000010
【図９】
2019215652.tif 000011
【図１０】
2019215652.tif 000012
【図１１】
2019215652.tif 000013